【事件の表示】
　平成　７年特許願第３２１２０４号「冷蔵庫」拒絶査定不服審判事件〔平成　９年　５月２７日出願公開、特開平　９−１３８０５１〕について、次のとおり審決する。
【結　論】
　本件審判の請求は、成り立たない。
【理　由】
１．手続の経緯・本願発明
　本願は、平成７年１１月１６日の出願であって、請求項１に係る発明（以下、「本願発明」という。）は、平成１４年１１月１４日付けの手続補正書により補正された明細書及び図面の記載からみて、その特許請求の範囲の請求項１に記載された次のとおりのものと認められる。
 
「【請求項１】　断熱箱体内を区画壁により区画することにより、第１の貯蔵室と第２の貯蔵室を構成すると共に、冷却器により冷却された冷気を送風機によって両貯蔵室内に分配供給して成る冷蔵庫において、
　前記区画壁内に構成され、前記冷却器からの冷気を前記第２の貯蔵室内に案内するダクトと、このダクト内に設けられ、前記第２の貯蔵室内の温度を検出するセンサを備えた制御装置によって制御されるステッピングモータ或いはＤＣモータの回転軸で回動されて前記ダクト内を流通する冷気量を調節するダンパーとを備え、前記区画壁内に成形断熱材を配設すると共に、該成形断熱材内に前記ダクトとダンパーを設け、前記ダクト外の前記成形断熱材内に前記ステッピングモータ或いはＤＣモータを設けたことを特徴とする冷蔵庫。」
 
２．引用例
　原査定の拒絶の理由に引用された、本願の出願前に頒布された引用文献は、次のものである。
　引用例１：特開昭６１−１６８７６９号公報
　引用例２：実願昭６２−１４２４５０号（実開昭６４−４８５７１号）のマイクロフィルム
　
３．引用例に記載されている事項
　引用例１には、冷蔵庫に関して、図面とともに、
「全体を符号１で示す冷蔵庫は、上。下三段の貯蔵室から形成されており、その最上段が冷凍室２、中断が低温室（チルド室）３、下段が一般的な冷蔵室４とされている。そして、上述した各貯蔵室２、３、４は、その外側が断熱箱体５によって包囲されるとともに、各貯蔵室間が断熱仕切壁６，７を介して画成され、それぞれ熱的に独立した構成とされている。」（２頁左上欄６行〜同１３行）こと、
「８は前記冷凍室２および低温室３の背面側に配設された冷却器、９は圧縮機、１０は前記冷却器８で冷却された冷気を前記各貯蔵室２、３、４のそれぞれに送り込む冷却ファンで、このファン１０により冷気は前記断熱は個体５を構成する壁部や前記仕切壁６、７等に形成された冷気供給側風路１１、１２および冷気還流側風路１３、１４を介して前記低温室３、冷蔵室４にそれぞれ循環供給されるとともに、前記冷凍室２の背面側の冷却器カバー１５の上、下に形成された吹出口１６および吸込口（図示せず）で冷凍室２内でも冷気が循環供給され、各室２、３、４が適宜適切な温度状態となるように冷却されるものである。」（２頁左上欄１７行〜同右上欄９行）こと、
「冷凍室２とその下方に配置された冷凍室よりも温度の高い貯蔵室としての低温室３とを画成する断熱仕切壁６内に、一端が前記低温室３内に吹出口１９ａとして開口する冷気通路１９を略水平方向に沿って設け、この冷気通路１９の途中に配設された冷気の流れを開閉制御するダンパサーモ１７を備えてなり、」（３頁右上欄１１行〜同１７行）ということ、
「ここで、本実施例では、上述した冷気供給側風路１１からの冷気を、第２図に示されるように、冷蔵庫１の幅方向略中央に配設されたダンパサーモ１７の本体部１７ａを避けた両側を迂回して前記断熱材２４の上部凹陥部２７内の両側部２７ａ、２７ｂから流れ込み、さらにこの凹陥部２７の前部中央に穿設された前記開口部２６を介して下部凹陥部２５によって形成されている冷気通路１９側に導かれるような構成とされている。」（３頁左下欄１５行〜同右下欄４行）こと、
「なお、図中２８は前記ダンパサーモ１７を配設した下部凹陥部２５を吹出口１９ａを除いて閉塞する仕切板、１５ａは前記冷凍室２を仕切る冷却器カバー１５の下方に膨出して形成された膨出部で、この膨出部１５ａにより供給側風路１１からの冷気を円滑な流れにて下方に流すような構成とされている。さらに、本実施例では、上述した第１および第２のゲート壁２０、２１は、前記断熱材２４の下部凹陥部２５の底部でダンパサーモ１７部分を取囲むように付設された底板２９と一体的に形成した場合を示している。」（３頁右下欄５行〜同１５行）こと、
が記載されている。
　
　引用例２には、冷蔵庫の温度制御装置に関して、図面とともに、
「従来の冷蔵庫の温度制御装置は上記のように構成されているので、断熱ケース（１５）内の空間（１６）は、バッフル（１１）が前後方向に移動する距離と冷気の流れる間隙を要し、断熱ケース（１５）の全体の前後方向の厚みが厚くなり、背壁から大きく突出して、上段の冷蔵室棚（２０）の奥行の寸法を縮め、載置面積を減らしたり、有効内容積を減らすという問題点があった。」（５頁３行〜同１０行）こと、
「この実施例の冷蔵庫の温度制御装置は、上記のように構成されており、冷却器（５）で冷却された冷気の一部は、冷気吹出ダクト（９）を通り、吹出冷気制御部（２１）のダクト部（２１ａ）の開口部（２１ｂ）に導かれる。バッフル（２２）は、温度調節装置による設定温度と、温度センサ（２４）で感知した庫内温度からマイクロコンピュータ等による比較動作により開閉制御される。例えば、設定温度に対し庫内温度が高い場合は、ソレノイド（２３ａ）がロッド（２３ｂ）を吸引するように動作し、アーム（２２ｂ）と回動軸（２２ａ）を介してバッフル（２２）を約４５度回動させて開口部（２１ｂ）を開く。」（８頁４行〜同１６行）こと、
「上記バッフル（２２）が開いているときは、バッフル（２２）を通過した冷気は、バッフル（２２）によって分流されて一部が前面吹出口（２５ａ）から、残りが下面吹出口（２５ｂ）から冷蔵室に吹き出される。」（８頁１９行〜９頁４行）こと、
「この実施例の冷蔵庫の温度制御装置は、冷気吹出ダクト（９）を流れる冷気を、下部ダクト（２６）を経て、冷蔵室下部または冷蔵室の下にある他の冷蔵室に導くものである。この実施例では、吹出冷気制御部（２７）の近傍に冷気吹出口を設ける必要がないため、断熱ケース（２５）がより小さくなる。バッフル（２８）は回動軸（２８ａ）端の歯車（２８ｂ）、モータ（２９ａ）の歯車（２９ｂ）により開閉動作をする。この、モータ（２９ａ）と、モータ（２９ａ）の歯車（２９ｂ）と、回動軸（２８ａ）端の歯車（２８ｂ）の部分からなる駆動装置（２９）は、バッフル（２８）に対して横方向に配置されているので、上下方向の寸法が小さくまとまり、冷蔵室の無効容積がより小さくなる。」（９頁８行〜１０頁２行）こと、
が記載されている。
　
４．対比・判断
　本願発明と引用例１に記載されたものとを対比し、検討する。
　上記摘示した事項から、引用例１には、次の発明が記載されているものと認められる。
「断熱箱体５内に断熱仕切壁６により画成することにより、第１の貯蔵室２と第２の貯蔵室３を構成すると共に、冷却器８により冷却された冷気を送風機１０によって両貯蔵室内に分配供給して成る冷蔵庫１において、
　前記断熱仕切壁６内に構成され、前記冷却器８からの冷気を前記第２の貯蔵室内に案内する上部凹陥部２７、開口部２６、下部凹陥部２５によって形成されている冷気通路１９と、この開口部２６に設けられ、上部凹陥部２７、開口部２６及び下部凹陥部２５によって形成されている冷気通路１９を流通する冷気量を調節するダンパサーモ１７とを備え、前記断熱仕切壁６内に断熱材２４を配設すると共に、冷気を案内する上部凹陥部２７、開口部２６及び下部凹陥部２５によって形成されている冷気通路１９とダンパサーモ１７を設け、冷気通路１９側と反対側の断熱材２４内の凹部にダンパサーモ１７の本体部１７ａを設けた冷蔵庫。」
　
　そして、前記断熱仕切壁６を構成している断熱材２４には、上部凹陥部２７、開口部２６、下部凹陥部２５、冷気通路１９、ダンパサーモ１７の本体部１７ａを収納する凹部が形成されているものであるから、この断熱材２４は、「成形断熱材」ということができるし、また、この上部凹陥部２７、開口部２６、下部凹陥部２５、冷気通路１９は、冷気供給側風路１１からの冷気を、上部凹陥部２７から開口部２６、下部凹陥部２５によって形成された冷気通路１９を通って第２の貯蔵室３へ導く冷気案内通路でもあるから、この冷気案内通路は、冷気の「ダクト」ということできる。さらに、ダンパサーモ１７の本体部１７ａは、冷気通路１９側とは反対側の断熱材２４内の凹部に設けられているから、ダクト外の成形断熱材内に配設されているものといえる。
　
　そうすると、引用例１に記載された発明の、「断熱箱体５」、「断熱仕切壁６」、「第１の貯蔵室２」、「第２の貯蔵室３」、「冷却器８」、「送風機１０」、「上部凹陥部２７、開口部２６、下部凹陥部２５によって形成された冷気通路１９」、「ダンパサーモ１７」、「断熱材２４」は、それぞれ本願発明の「断熱箱体」、「区画壁」、「第１の貯蔵室」、「第２の貯蔵室」、「冷却器」、「送風機」、「ダクト」、「ダンパー」、「成形断熱材」に相当するものと認められる。また、本願発明におけるステッピングモータ或いはＤＣモータは、ダンパーを駆動するための駆動装置ということができるとともに、引用例１のダンパサーモ１７の本体部１７ａも、ダンパサーモ１７を駆動するための駆動装置といえるから、両者は、次の点で一致しているものと認められる。
　
「断熱箱体内を区画壁により区画することにより、第１の貯蔵室と第２の貯蔵室を構成すると共に、冷却器により冷却された冷気を送風機によって両貯蔵室内に分配供給して成る冷蔵庫において、
　前記区画壁内に構成され、前記冷却器からの冷気を前記第２の貯蔵室内に案内するダクトと、このダクト内に設けられ、前記ダクト内を流通する冷気量を調節するダンパーとを備え、前記区画壁内に成形断熱材を配設すると共に、該成形断熱材内に前記ダクトとダンパーを設け、前記ダクト外の前記成形断熱材内にダンパーを駆動するための駆動装置を設けた冷蔵庫。」
　
　しかし、次の点で相違しているものと認められる。
・相違点１：ダンパーを駆動するための駆動装置が、本願発明は、成形断熱材内に設けた「ステッピングモータ或いはＤＣモータ」であるのに対し、引用例１に記載された発明は、成形断熱材内に設けたダンパサーモ１７の「本体部１７ａ」である点。
・相違点２：ダンパーが、本願発明は、「前記第２の貯蔵室内の温度を検出するセンサを備えた制御装置によって制御されるステッピングモータ或いはＤＣモータの回転軸で回動され」るものであるのに対し、引用例１に記載された発明は、ダンパサーモ１７の本体部１７ａによって駆動されるものであって、本願発明のような構成を備えていない点。
　
　そこで、この相違点を検討する。
・相違点１について
　引用例２には、冷蔵室の有効内容積を大きくするために、冷気吹出ダクト（９）の冷気を下部ダクト（２６）に導く冷気量を調節するバッフル（２８）（本願発明の「ダンパー」に相当する）をモータ（２９ａ）によって駆動するものが示されている。該モータ（２９ａ）が、どのような種類のモータであるかを特定する記載はないものの、冷蔵庫のダンパー駆動用のモータとして、ステッピングモータを用いることは、例えば、特開昭５８−１６４９８１号公報、特開昭５９−１９１８６９号公報に示されるように周知といえるから、相違点１の構成は、当業者が容易に想到し得たものと認められる。
・相違点２について
　冷蔵庫の庫内温度を制御するために、庫内温度を温度センサを検出することは、ダンパサーモを用いたものにおいても、引用例２の第６図、第７図の従来技術に示されるように当然の構成といえるうえに、該引用例２には、冷蔵庫の庫内に設けた温度センサ（２４）の感知温度によって、マイクロコンピュータ等でソレノイド（２３ａ）或いはモータ（２９ａ）を制御して、バッフル（２２）、（２８）（本願発明の「ダンパー」に相当する）の回動軸（２２ａ）、（２８ａ）を回動して、バッフル（２２）、（２８）の開閉制御するものが示されている。
　そうすると、ステッピングモータによって冷蔵庫のダンパーを駆動することが上記したように周知であることを考慮すれば、相違点２の構成は、引用例２及び周知の事項から当業者が容易に想到し得たものと認められる。
　
　そして、本願発明が奏する効果も、上記引用例１、２及び周知の事項から当業者が容易に予測することができたものと認められる。
　
５．むすび
　以上のとおりであるから、本願発明は、引用例１、２に記載された発明及び周知な事項に基づいて、当業者が容易に発明をすることができたものであるから、特許法第２９条第２項の規定により特許を受けることができない。
　よって、結論のとおり審決する。